(57)【要約】【課題】光ディスクの内周から光ピックアップの対物レンズの中心までの距離を検出して、光ピックアップを光ディスクの半径方向の所定の位置に精度よく移動させることができるようにする。【解決手段】光ディスクがターンテーブルに装着されたとき、光学式距離センサによりレーザ光を照射し、その反射光を受光して、光ディスクの内周から光ピックアップの対物レンズの中心までの距離を検出し、光ディスクからアドレスを読み出して、読み出されたアドレスを光ディスクの内周からの距離に換算し、光学式距離センサにより検出された光ディスクの内周から光ピックアップの対物レンズの中心までの距離を補正して、補正された距離補正量に基づいて光学式距離センサにより光ディスクの内周から光ピックアップの対物レンズの中心までの距離を検出し、光ピックアップを所定の位置に移動させるようにする。【選択図】        図１
2004265554.tif 000002
【特許請求の範囲】
【請求項１】
光ピックアップを光ディスクの半径方向に移動させて、光ディスクに記録された情報信号を読み出して再生する光ディスク装置において、レーザ光を照射し、その反射光を受光して、三角測量法に基づいて距離を検出する距離検出手段と、前記距離検出手段により照射されたレーザ光を反射する平面鏡の反射手段と、光ピックアップにより光ディスクから読み出されたアドレスを光ディスクの内周からの距離に換算して距離を補正する距離補正手段と、光ピックアップを光ディスクの半径方向に移動させる駆動手段とを備え、光ディスクがターンテーブルに装着されたとき、前記距離検出手段により光ディスクの内周から光ピックアップの対物レンズの中心までの距離を検出し、前記光ピックアップにより光ディスクからアドレスを読み出して、前記距離検出手段により検出された距離を補正し、補正された距離補正量に基づいて、前記距離検出手段により光ディスクの内周から前記光ピックアップの対物レンズの中心までの距離を検出し、前記光ピックアップを所定の位置に移動させるようにしたことを特徴とする光ディスク装置。
【請求項２】
光ピックアップを光ディスクの半径方向に移動させて、光ディスクに記録された情報信号を読み出して再生する光ディスク装置において、レーザ光を照射し、その反射光を受光して距離を検出する距離検出手段と、前記距離検出手段により照射されたレーザ光を反射する反射手段と、光ピックアップを光ディスクの半径方向に移動させる駆動手段とを備え、前記距離検出手段によりレーザ光を前記反射手段に向けて照射し、その反射光を受光して、光ディスクの内周から前記光ピックアップの対物レンズの中心までの距離を検出し、前記光ピックアップを所定の位置に移動させるようにしたことを特徴とする光ディスク装置。
【請求項３】
光ピックアップにより光ディスクから読み出されたアドレスを光ディスクの内周からの距離に換算して距離を補正する距離補正手段を備え、光ディスクがターンテーブルに装着されたとき、前記光ピックアップにより光ディスクからアドレスを読み出して、前記距離検出手段により検出された光ディスクの内周から前記光ピックアップの対物レンズの中心までの距離を補正するようにしたことを特徴とする請求項２記載の光ディスク装置。
【請求項４】
前記距離検出手段は、レーザ光を前記反射手段に向けて照射し、その反射光を受光して、三角測量法に基づいて距離を検出する距離検出手段であることを特徴とする請求項２記載の光ディスク装置。
【請求項５】
前記反射手段は、平面鏡の反射板であることを特徴とする請求項２記載の光ディスク装置。
【請求項６】
前記距離検出手段は光ピックアップに設けられ、前記反射手段はターンテーブルが載置されたメカシャーシに設けられていることを特徴とする請求項１、請求項２又は請求項３のいずれかに記載の光ディスク装置。
【請求項７】
前記距離検出手段はターンテーブルが載置されたメカシャーシに設けられ、前記反射手段は光ピックアップに設けられていることを特徴とする請求項１、請求項２又は請求項３のいずれかに記載の光ディスク装置。
【発明の詳細な説明】
【０００１】
【発明の属する技術分野】本発明は、ＣＤ（Ｃｏｍｐａｃｔ  Ｄｉｓｋ）等の光ディスクを再生する光ディスク装置に係り、特に光ディスクの内周からの距離を検出して、光ピックアップを所定の位置に精度よく移動させることができる光ディスク装置に関する。
【０００２】
【従来の技術】従来の光ディスク装置は、光ディスクがターンテーブルに装着されると、光ピックアップを光ディスクの半径方向に移動させるスレッドモータが駆動されて、光ピックアップが光ディスクの内周方向に移送され、光ピックアップが光ディスクに記録されているＴＯＣ（Ｔａｂｌｅ  ｏｆ  Ｃｏｎｔｅｎｔｓ）領域の内周に到達すると、光ディスクの内周を検出する内周検出スイッチが作動してスレッドモータの駆動が停止され、ＴＯＣの読み取りが行われるようになっている。しかし、内周検出スイッチはメカスイッチであるためスイッチの作動誤差があり、内周検出スイッチの作動誤差を考慮して光ディスクの内周を検出しなければならないという問題点があった。また、内周検出スイッチにより光ピックアップが内周に位置していることを検出することができたが、光ディスクの内周から光ピックアップまでの距離を検出することができないため、光ピックアップを移動する際、サーボ制御して光ディスクからアドレスを読み出さなければ、光ピックアップを所定の位置に精度よく移動させることができないという問題点があった。
【０００３】従来の技術としては、発光素子と受光素子とが平板状に配列された反射型ホトセンサをメカシャーシに設け、光学ピックアップが光ディスクの内周に位置するとき、反射型ホトセンサの発光素子の出力が光ピックアップに設けられた反射機構により反射されて反射型ホトセンサの受光素子に入射されることにより、光ピックアップが光ディスクの内周に位置していることを検出するようにしたものがあった（例えば、特許文献１参照）。
【０００４】また、光ピックアップが所定の位置に来たときに光ピックアップから照射された光を光反射手段により反射するようにし、光ピックアップを光ディスクの内周方向に向けて移動させながら、光ピックアップにより反射光の反射光量を検出し、その反射光量が所定の閾値を超えたときに光ピックアップの移動を停止して、光ディスクの内周を検出するようにしたものがあった（例えば、特許文献２参照）。
【０００５】
【特許文献１】特開２０００−６７４３７号公報
【特許文献２】特開２０００−３３９８３１号公報
【０００６】
【発明が解決しようとする課題】しかしながら、従来の技術で述べたもののうち前者においては、発光素子と受光素子とが平板状に配列された反射型ホトセンサをメカシャーシに設け、光学ピックアップが光ディスクの内周に位置するとき、反射型ホトセンサの発光素子の出力が光ピックアップに設けられた反射機構により反射されて反射型ホトセンサの受光素子に入射されることにより、光ピックアップが光ディスクの内周に位置していることを検出することができたが、光ディスクの内周から光ピックアップまでの距離を検出することができないため、光ピックアップを移動する際、サーボ制御して光ディスクに記録されたアドレスを読み出さなければ、光ピックアップを所定の位置に精度よく移動させることができないという問題点があった。
【０００７】また、後者においては、光ピックアップが所定の位置に来たときに光ピックアップから照射された光を光反射手段により反射するようにし、光ピックアップを光ディスクの内周方向に向けて移動させながら、光ピックアップにより反射光の反射光量を検出し、その反射光量が所定の閾値を超えたときに光ピックアップの移動を停止して、光ディスクの内周を検出することができたが、上記同様、光ディスクの内周から光ピックアップまでの距離を検出することができないため、光ピックアップを移動する際、サーボ制御して光ディスクに記録されたアドレスを読み出さなければ、光ピックアップを所定の位置に精度よく移動させることができないという問題点があった。
【０００８】本発明は、従来の技術の有するこのような問題点に鑑みてなされたものであり、その目的とするところは、光ディスクの内周から光ピックアップの対物レンズの中心までの距離を検出して、光ピックアップを光ディスクの半径方向の所定の位置に精度よく移動させることができる光ディスク装置を提供しようとするものである。
【０００９】
【課題を解決するための手段】上記目的を達成するため本発明においては、光ピックアップを光ディスクの半径方向に移動させて、光ディスクに記録された情報信号を読み出して再生する光ディスク装置において、レーザ光を照射し、その反射光を受光して距離を検出する距離検出手段と、前記距離検出手段により照射されたレーザ光を反射する反射手段と、光ピックアップを光ディスクの半径方向に移動させる駆動手段とを備え、前記距離検出手段によりレーザ光を前記反射手段に向けて照射し、その反射光を受光して、光ディスクの内周から前記光ピックアップの対物レンズの中心までの距離を検出し、前記光ピックアップを所定の位置に移動させるようにする。
【００１０】また、光ピックアップにより光ディスクから読み出されたアドレスを光ディスクの内周からの距離に換算して距離を補正する距離補正手段を備え、光ディスクがターンテーブルに装着されたとき、前記光ピックアップにより光ディスクからアドレスを読み出して、前記距離検出手段により検出された光ディスクの内周から光ピックアップの対物レンズの中心までの距離を補正するようにする。
【００１１】前記距離検出手段は、レーザ光を前記反射手段に向けて照射し、その反射光を受光して、三角測量法に基づいて距離を検出するようにするとよい。
【００１２】また、前記反射手段は、平面鏡の反射板とするとよい。
【００１３】前記距離検出手段を光ピックアップに設け、前記反射手段をターンテーブルが載置されたメカシャーシに設けるようにするとよい。
【００１４】また、前記距離検出手段をターンテーブルが載置されたメカシャーシに設け、前記反射手段を光ピックアップに設けるようにしてもよい。
【００１５】これらの手段により、光ディスクの内周から光ピックアップの対物レンズの中心までの距離を検出して、光ピックアップを光ディスクの半径方向の所定の位置に精度よく移動させることができる。
【００１６】
【発明の実施の形態】以下、適宜図面を参照しながら本発明の実施の形態を詳述する。図１は本発明の実施の形態に係る光ディスク装置を示す説明図であり、図２は本発明の実施の形態に係る光ディスク装置の光学式距離センサを示す説明図であり、図３は本発明の実施の形態に係る光ディスク装置の距離補正の動作を示すフローチャートであり、図４は本発明の実施の形態に係る他の光ディスク装置を示す説明図である。
【００１７】まず、図１の本発明の実施の形態に係る光ディスク装置を示す説明図を基に説明する。
【００１８】光ディスク装置は、光ディスク（図示せず）にレーザ光を照射して、その反射光を受光する対物レンズ１ａを有し、スレッドモータ（図示せず）に駆動されて、光ディスクの半径方向に移動し、光ディスクに記録された情報信号を読み出す光ピックアップ１と、レーザ光Ｂを照射し、その反射光を受光して距離を検出する光学式距離センサ２と、光学式距離センサ２より照射されたレーザ光Ｂを反射する平面鏡の反射板３と、スピンドルモータ（図示せず）に駆動され、光ディスクを回転させるターンテーブル４とで構成されている。図１では、光学式距離センサ２は光ピックアップ１に設けられ、反射板３はターンテーブル４が載置されたメカシャーシ（図示せず）に設けられていて、反射板３はターンテーブル４の中心線上に配置されている。また、図１（ａ）は光ピックアップ１が所定の位置に位置する場合を示し、図１（ｂ）は光ピックアップ１の対物レンズ１ａの中心が光ディスクの内周Ｒ０、例えば、ＣＤの場合、光ディスクの規格に基づく半径Ｒ０＝２５ｍｍに位置する場合を示している。
【００１９】また、図２の本発明の実施の形態に係る光ディスク装置の光学式距離センサを示す説明図を基に説明する。
【００２０】光学式距離センサ２は、所定の角度θで反射板３に向けてレーザ光Ｂを照射し、反射板３により反射されたレーザ光を受光する。そして、受光されたレーザ光の入射位置により、光学式距離センサ２から反射板３までの距離Ｒ１が三角測量法に基づいて検出されるようになっている。図１（ａ）に示すように、光学式距離センサ２からのレーザ光Ｂの出射位置からレーザ光の入射位置までの距離がＤ１であるとき、Ｒ１＝（Ｄ１／２）×ｔａｎθより、光学式距離センサ２から反射板３までの距離Ｒ１が検出されるようになっている。
【００２１】また、図１（ｂ）に示すように、光学式距離センサ２と反射板３との距離が接近すると、レーザ光Ｂの出射位置からレーザ光の入射位置までの距離がＤ２となり、上記同様にして、Ｒ２＝（Ｄ２／２）×ｔａｎθより、光学式距離センサ２から反射板３までの距離Ｒ２が検出される。
【００２２】以上のように構成された光ディスク装置について、以下その動作について説明する。
【００２３】光ディスクがターンテーブル４に装着されると、マイコン（図示せず）は、光ピックアップ１に設けられた光学式距離センサ２からレーザ光Ｂをターンテーブル４の中心線上に配置された反射板３に向けて照射し、反射板３により反射されたレーザ光を光学式距離センサ２により受光して、光学式距離センサ２により反射板３までの距離Ｒｓを検出する。
【００２４】マイコンは、光学式距離センサ２により検出された距離と光ピックアップ１により光ディスクから読み出されたアドレスから換算された距離との誤差を補正するため、スピンドルモータを駆動して、ターンテーブル４を回転させ、光ピックアップ１により光ディスクからアドレスを読み出し、光ディスクの内周Ｒ０、トラックピッチＰｔ、線速度Ｖｓ、再生時間Ｔｓにより、Ｒｔ×Ｒｔ＝Ｒ０×Ｒ０＋（Ｐｔ／π）×Ｖｓ×Ｔｓより、光ディスクの内周から光ピックアップ１の対物レンズ１ａの中心までの距離Ｒｔを換算する。πは円周率である。
【００２５】そして、マイコンは、光学式距離センサ２により検出された距離Ｒｓに光学式距離センサ２から対物レンズ１ａの中心までの距離Ｒｃを加算して、光ディスクの内周から光ピックアップ１の対物レンズ１ａの中心までの距離Ｒ＝Ｒｓ＋Ｒｃを算出し、アドレスから換算された距離Ｒｔを光学式距離センサ２により検出された距離Ｒから減算して、光学式距離センサ２により検出された距離Ｒの誤差を補正する距離補正量ΔＲ＝Ｒ−Ｒｔを算出し、メモリ（図示せず）に記憶する。
【００２６】マイコンは、一度、光ディスクからアドレスを読み出して、距離補正量ΔＲを算出すると、それ以降、メモリに記憶されている距離補正量ΔＲに基づいて光学式距離センサ２により検出された反射板３までの距離Ｒｓに光学式距離センサ２から光ピックアップ１の対物レンズ１ａの中心までの距離Ｒｃを加算して、光ディスクの内周から光ピックアップ１の対物レンズ１ａの中心までの距離Ｒ＝Ｒｓ＋Ｒｃ−ΔＲを検出し、スレッドモータを駆動して光ピックアップ１を光ディスクの半径方向の所定の位置に精度よく移動させることができる。
【００２７】光ピックアップ１をＴＯＣが記録されている光ディスクの内周Ｒ０に移動させる場合、マイコンは、光学式距離センサ２により距離Ｒｓを検出しながら、スレッドモータを駆動して、光ピックアップ１を光ディスクの内周方向に移動させ、距離Ｒｓ＋Ｒｃ−ΔＲ＝Ｒ０になると、光ピックアップ１が光ディスクの内周Ｒ０に到達したと判別して、スレッドモータの駆動を停止し、光ピックアップ１の移動を停止する。これにより、サーボ制御してアドレスを読み出さなくても、光ピックアップ１を光ディスクの内周Ｒ０に精度よく移動させることができる。
【００２８】また、図３の本発明の実施の形態に係る光ディスク装置の距離補正の動作を示すフローチャートを基に説明する。
【００２９】光ディスクがターンテーブルに装着されると、ステップＳ１からステップＳ２に進み、ステップＳ２で、光学式距離センサからレーザ光が反射板に向けて照射され、反射板により反射されたレーザ光が光学式距離センサにより受光されて、光学式距離センサから反射板までの距離Ｒｓが検出され、ステップＳ３に進む。
【００３０】ステップＳ３で、光ピックアップにより光ディスクからアドレスが読み出され、ステップＳ４に進む。
【００３１】ステップＳ４で、光ディスクから読み出されたアドレスから光ディスクの内周からの距離Ｒｔが換算され、ステップＳ５に進む。
【００３２】ステップＳ５で、光学式距離センサにより検出された距離Ｒｓに光学式距離センサから光ピックアップの対物レンズの中心までの距離Ｒｃが加算されて、光ディスクの内周から光ピックアップの対物レンズの中心までの距離Ｒが算出され、ステップＳ６に進む。
【００３３】ステップＳ６で、アドレスから換算された距離Ｒｔを光学式距離センサにより検出された距離Ｒから減算して、光学式距離センサにより検出された距離を補正する距離補正量ΔＲが算出され、ステップＳ７に進む。
【００３４】ステップＳ７で、距離補正量ΔＲがメモリに記憶され、ステップＳ８に進んで処理を終了する。
【００３５】なお、図４は本発明の実施の形態に係る他の光ディスク装置を示したものである。図４では、光学式距離センサ２はターンテーブル４が載置されたメカシャーシ（図示せず）に設けられ、反射板３は光ピックアップ１に設けられていて、光学式距離センサ２はターンテーブル４の中心線上に配置されている。図１と同一部分には同一符号を付して説明を省略する。また、図４では、反射板３から光ピックアップ１の対物レンズ１ａの中心までの距離を距離Ｒｃとしているが、図４の光ディスク装置は、上記同様の動作が可能である。
【００３６】以上、本発明の実施の形態について詳述したが、本発明はこれに限らず、当業者の通常の知識の範囲内でその変形や改良が可能である。例えば、ターンテーブルに設けられた反射板をターンテーブルの中心線上に配置することを説明したが、反射板をターンテーブルの中心線上より前方、或いは後方に配置するようにしてもよい。この場合、光学式距離センサにより検出された距離Ｒｓに反射板とターンテーブルとの距離を加算、或いは減算するとよい。また、光学式距離センサをターンテーブルに設けた場合も上記同様にするとよい。
【００３７】
【発明の効果】以上説明してきたように、本発明による光ディスク装置によれば、光ディスクがターンテーブルに装着されたとき、光学式距離センサによりレーザ光を平面鏡の反射板に向けて照射し、その反射光を受光して、三角測量法に基づいて光学式距離センサから反射板までの距離を検出し、光ピックアップにより光ディスクからアドレスを読み出して、読み出されたアドレスを光ディスクの内周からの距離に換算し、光学式距離センサにより検出された光ディスクの内周から光ピックアップの対物レンズの中心までの距離を補正して、補正された距離補正量に基づいて光学式距離センサにより光ディスクの内周から光ピックアップの対物レンズの中心までの距離を検出し、光ピックアップを所定の位置に移動させることができる。このことにより、光ディスクの内周から光ピックアップの対物レンズの中心までの距離を検出して、光ピックアップを光ディスクの半径方向の所定の位置に精度よく移動させることができる。
【００３８】請求項１記載の発明に係る光ディスク装置は、光ディスクがターンテーブルに装着されたとき、距離検出手段により光ディスクの内周から光ピックアップの対物レンズの中心までの距離を検出し、光ピックアップにより光ディスクからアドレスを読み出して、読み出されたアレドスを光ディスクの内周からの距離に換算し、距離検出手段により検出された距離を補正して、補正された距離補正量に基づいて距離検出手段により光ディスクの内周から光ピックアップの対物レンズの中心までの距離を検出し、光ピックアップを光ディスクの半径方向の所定の位置に移動させるようにしている。これにより、距離検出手段により光ディスクの内周から光ピックアップの対物レンズの中心までの距離を検出して、光ピックアップを光ディスクの半径方向の所定の位置に精度よく移動させることができる。
【００３９】請求項２記載の発明に係る光ディスク装置は、距離検出手段によりレーザ光を反射手段に向けて照射し、その反射光を受光して、光ディスクの内周から光ピックアップの対物レンズの中心までの距離を検出し、光ピックアップを光ディスクの半径方向の所定の位置に移動させるようにしている。これにより、距離検出手段により光ディスクの内周から光ピックアップの対物レンズの中心までの距離を検出し、光ピックアップを光ディスクの半径方向の所定の位置に移動させることができる。
【００４０】請求項３記載の発明に係る光ディスク装置は、光ディスクがターンテーブルに装着されたとき、光ピックアップにより光ディスクからアドレスを読み出して、読み出されたアドレスを光ディスクの内周からの距離に換算し、距離検出手段により検出された光ディスクの内周から光ピックアップの対物レンズの中心までの距離を補正するようにしている。これにより、距離検出手段により光ディスクの内周から光ピックアップの対物レンズの中心までの距離を検出し、光ピックアップを光ディスクの半径方向の所定の位置に精度よく移動させることができる。
【００４１】請求項４記載の発明に係る光ディスク装置は、距離検出手段は、レーザ光を反射手段に向けて照射し、その反射光を受光して、三角測量法に基づいて距離を検出するようにしている。これにより、距離検出手段からのレーザ光の出射位置からレーザ光の入射位置までの距離により反射手段までの距離を検出することができる。
【００４２】請求項５記載の発明に係る光ディスク装置は、反射手段を平面鏡の反射板としている。これにより、反射手段を簡易なものにすることができる。
【００４３】請求項６記載の発明に係る光ディスク装置は、距離検出手段を光ピックアップに設け、反射手段をターンテーブルが載置されたメカシャーシに設けるようにしている。これにより、距離検出手段を光ピックアップに一体化することができる。
【００４４】請求項７記載の発明に係る光ディスク装置は、距離検出手段をターンテーブルが載置されたメカシャーシに設け、反射手段を光ピックアップに設けるようにしている。これにより、光ピックアップへの配線の本数を少なくすることができる。
【図面の簡単な説明】
【図１】本発明の実施の形態に係る光ディスク装置を示す説明図である。
【図２】本発明の実施の形態に係る光ディスク装置の光学式距離センサを示す説明図である。
【図３】本発明の実施の形態に係る光ディスク装置の距離補正の動作を示すフローチャートである。
【図４】本発明の実施の形態に係る他の光ディスク装置を示す説明図である。
【符号の説明】
１  光ピックアップ１
１ａ  対物レンズ１ａ
２  光学式距離センサ２
３  反射板３
４  ターンテーブル４
Ｂ  レーザ光Ｂ
【図１】
2004265554.tif 000003
【図２】
2004265554.tif 000004
【図３】
2004265554.tif 000005
【図４】
2004265554.tif 000006